(57)【要約】【課題】あらゆる種別の帳票を正確かつ効率良く仕分けることができる帳票処理システム並びにセキュリティを確保しつつ帳票の管理を効率良く行うことができる帳票画像読取装置を提供すること。【解決手段】着脱式カセット１０ｆのカセットＩＤ、帳票を収納する順序データ及び画像データを含む帳票収納データを帳票画像読取装置１０から制御装置３１に送信し、制御装置３１がこの帳票収納データ内の画像データから文字データを抽出して帳票収納文字データを生成し、該帳票収納文字データ及び仕分け条件データからカセットＩＤ、順序データ及び仕分け先データからなる仕分けデータ３４ａを生成し、着脱式カセット１０ｆが帳票処理装置３０に装着されたならば、カセットＩＤ及び仕分けデータ３４ａを用いて仕分け先のスタッカ部３０ｅのスタッカを特定して仕分け処理を行う。【選択図】図１
2012083807.tif 000002
【特許請求の範囲】
【請求項１】
営業店に設置された帳票画像読取装置で受け付けた各種の帳票に関する情報を事務センタに設置された帳票処理装置に送信するとともに、該帳票処理装置で前記各種の帳票に関する情報の集計処理並びに前記各種の帳票の仕分け処理を行う帳票処理システムであって、
前記帳票画像読取装置及び前記帳票処理装置にそれぞれ着脱可能であり、前記帳票画像読取装置で画像データが読み取られた帳票を収納するとともに、収納した帳票を前記帳票処理装置に排出する帳票収納庫を備え、
前記帳票画像読取装置は、
前記帳票の画像データを読み取る画像データ読取手段と、
前記画像データ読み取り手段で画像データが読み取られた帳票を所定の帳票収納庫に格納制御する格納制御手段と、
前記画像データ読取手段にて帳票の画像データを読み取る場合に、当該帳票を収納する帳票収納庫を一意に識別するための収納庫識別情報、該帳票収納庫に当該帳票を収納している順序である順序情報及び当該帳票の画像データとからなる帳票収納情報を生成する帳票収納情報生成手段と、を備え、
前記帳票処理装置は、
前記帳票収納情報及び仕分け条件情報に基づいて、帳票収納庫の収納庫識別情報、帳票を収納する順序情報及び帳票の仕分け情報からなる仕分け情報を生成する仕分け情報生成手段と、
任意の帳票収納庫が装着された場合に、当該帳票収納庫の収納庫識別情報から得た仕分け情報に基づいて、当該帳票収納庫から順次取り出す帳票を複数の仕分け先に仕分け処理する仕分け処理手段と
を備えたことを特徴とする帳票処理システム。
【請求項２】
前記帳票画像読取装置は、
前記帳票収納情報生成手段により生成された帳票収納情報を前記帳票処理装置に対して送信制御する送信制御手段をさらに備え、
前記帳票処理装置は、
前記帳票画像読取装置から帳票収納情報を受信する受信制御手段と、
前記受信制御手段で受信した帳票収納情報を記憶する帳票収納情報記憶手段と、
前記帳票収納情報記憶手段に記憶された帳票収納情報に含まれる画像データから文字情報を抽出する文字情報抽出手段と、
前記帳票収納庫の収納庫識別情報、前記順序情報及び前記文字情報抽出手段により抽出された文字情報からなる帳票収納文字情報を生成する帳票収納文字情報生成手段と、をさらに備え、
前記仕分け情報生成手段は、
前記帳票収納文字情報生成手段により生成された帳票収納文字情報及び仕分け条件情報に基づいて、帳票収納庫の収納庫識別情報、帳票を収納する順序情報及び帳票の仕分け先情報からなる仕分け情報を生成する
ことを特徴とする請求項１に記載の帳票処理システム。
【請求項３】
前記帳票画像読取装置は、
帳票収納情報生成手段により生成された帳票収納情報に含まれる画像データから文字情報を抽出する文字情報抽出手段と、
少なくとも前記順序情報及び前記文字情報抽出手段により抽出された文字情報からなる帳票収納文字情報を生成する帳票収納文字情報生成手段と、
前記帳票収納文字情報生成手段により生成された帳票収納文字情報を前記帳票処理装置に対して送信制御する送信制御手段と、をさらに備え、
前記帳票処理装置は、
前記帳票画像読取装置から帳票収納文字情報を受信する受信制御手段と、
前記受信制御手段で受信した帳票収納文字情報を記憶する帳票収納文字情報記憶手段と、をさらに備え、
前記仕分け情報生成手段は、
前記帳票収納文字情報生成手段により生成された帳票収納文字情報及び仕分け条件情報に基づいて、帳票収納庫の収納庫識別情報、帳票を収納する順序情報及び帳票の仕分け先情報からなる仕分け情報を生成する
ことを特徴とする請求項１に記載の帳票処理システム。
【請求項４】
前記帳票収納庫は、
少なくとも自帳票収納庫を一意に識別するための収納庫識別情報を記憶する識別情報記憶手段と、
前記帳票画像読取装置又は前記帳票処理装置に装着された場合に、前記識別情報記憶手段に記憶した収納庫識別情報を送信する送信手段と、を備え、
前記帳票画像読取装置及び前記帳票処理装置は、
装着された帳票収納庫から前記該帳票収納庫の収納庫識別情報を受信する受信手段を備えた
ことを特徴とする請求項１、２又は３に記載の帳票処理システム。
【請求項５】
前記帳票画像読取装置は、
処理対象となる帳票の種類及び属性情報を入力する入力手段をさらに備え、
前記格納制御手段は、前記入力手段で入力された帳票の種類又は属性情報に対応する帳票収納庫に当該帳票を格納制御する
ことを特徴とする請求項１〜４のいずれか一つに記載の帳票処理システム。
【請求項６】
帳票を読み取った帳票画像から該帳票の収納先や金額を含む帳票情報を取得し、取得した帳票情報に基づいて帳票の仕分け処理を行う帳票処理システムに用いられる帳票画像読取装置であって、
複数の帳票を受け入れて一枚ずつ繰り出すホッパーと、
前記帳票の画像データを読み取る画像データ読取手段と、
前記画像データ読取手段により読み取られた画像データを記憶する記憶手段と、
帳票収納庫を一意に識別するための収納庫識別情報を記憶し、前記帳票の収納及び繰り出しが可能な着脱自在の帳票収納庫と、
前記帳票収納庫から繰り出された帳票を収納する固定式の一時保留収納部と、
前記帳票の繰り出し及び搬送の制御、前記画像データの読み取り制御、印字制御を行う制御手段と
を備えたことを特徴とする帳票画像読取装置。
【請求項７】
前記制御手段は、前記帳票収納庫に収納された帳票を前記一時保留収納部に一時保留させつつ、所望の帳票を抽出して仕分け処理を行うことを特徴とする請求項６に記載の帳票画像読取装置。
【発明の詳細な説明】
【技術分野】
【０００１】
本発明は、営業店に設置された帳票画像読取装置で受け付けた各種の帳票に関する情報を事務センタに設置された帳票処理装置に送信するとともに、該帳票処理装置で各種の帳票に関する情報の集計処理並びに各種の帳票の仕分け処理を行う帳票処理システム及び帳票画像読取装置に関し、特に、様々な種別の帳票を正確かつ効率良く仕分けることができる帳票処理システム並びにセキュリティを確保しつつ帳票の管理を効率良く行うことができる帳票画像読取装置に関する。
【背景技術】
【０００２】
従来、銀行等の金融機関では、融資、相続、各種契約書、投資信託、諸届け、口座振替依頼書、手形・小切手並びに税・公金等の多種多様の帳票が大量に処理される。これらの各種帳票のうち、口座振替依頼書、手形・小切手及び税・公金等の帳票は、それぞれの営業店から事務センタに運搬され、この事務センタにおいて帳票が仕分けられ管理されることになる。
【０００３】
このため、口座振替依頼書、手形・小切手及び税・公金等の帳票を自動的に仕分けることができる帳票処理装置が事務センタに導入されることが多い。かかる帳票処理装置の一例として、特許文献１には、帳票を読み取った帳票データを一時的に記憶しておき、帳票データの確認・修正結果を踏まえて仕分け収納を制御することで、帳票の処理効率の向上を図る技術が開示されている。
【０００４】
また、事務センタでこれらの帳票を管理するためには、各営業店から事務センタへ帳票を受け渡す必要があるため、効率的に帳票の受け渡しを行う従来技術も知られている。例えば、特許文献２には、エンドーサによって帳票の現物に管理通番と呼ばれる識別情報をバーコード印字するとともに、この識別情報と帳票の画像データを対応づけたデータを営業店から事務センタに送り、帳票の現物が事務センタに到着したならば、この帳票に付された識別情報と事前に送信されたデータを用いて帳票を仕分ける技術が開示されている。
【先行技術文献】
【特許文献】
【０００５】
【特許文献１】特開平９−２８２３９５号公報
【特許文献２】特開２００６−１４３３６９号公報
【発明の概要】
【発明が解決しようとする課題】
【０００６】
しかしながら、上記特許文献２によれば、帳票の現物にバーコード等の識別情報を印字する必要があるが、実際の帳票にはバーコード等の識別情報を印字することができない場合がある。例えば、帳票の表裏全面に印字がされる帳票については、識別情報を印字する領域がない。したがって、かかる帳票に関しては上記特許文献２を用いたとしても帳票を仕分けることができない。
【０００７】
このため、事務センタでバーコード印字に頼らずに画像データ照合により仕分けを行うことも考えられる。例えば、事務センタで現物の帳票から再度画像データを読み取り、この画像データを事前に送信された画像データと照合処理することになる。しかし、同一の画像データと判定されたとしても、実際には異なる画像データである可能性がある。加えて、かかる画像データの照合処理をその都度行うとなると処理遅延が発生する。このため、エンドーサで帳票に印字する管理通番に依存するのではなく、様々な種別の帳票を正確かつ効率良く仕分けることができる帳票処理システムをいかに実現するかが大きな課題となっている。
【０００８】
また、営業店では、全ての帳票を事務センタに受け渡すわけではなく、営業店内で帳票を管理するものも存在する。例えば、口座振替依頼書、手形・小切手及び税・公金の帳票については事務センタに受け渡すが、融資、相続、各種契約書、投資信託、諸届け等の帳票については営業店で管理されることもある。
【０００９】
このため、通常は事務センタに設けられる帳票処理装置を営業店にも設置することが望まれるが、コスト面並びに設置スペースの観点から見て、事務センタの帳票処理装置と同じ物を営業店に設置するのは妥当ではない。加えて、上記特許文献１を用いた場合であっても、スタッカに仕分けられた帳票はその後に人手を介して取り扱われるため、重要な帳票が抜き取られる等のセキュリティ上の問題が生ずる。これらのことから、営業店に設置される帳票画像読取装置を用いてセキュリティを確保しつつ帳票の管理をいかに効率良く行うかも重要な課題となっている。
【００１０】
本発明は、上述した従来技術による問題点を解消するためになされたものであって、あらゆる種別の帳票を正確かつ効率良く仕分けることができる帳票処理システム並びにセキュリティを確保しつつ帳票の管理を効率良く行うことができる帳票画像読取装置を提供することを目的とする。
【課題を解決するための手段】
【００１１】
上述した課題を解決し、目的を達成するため、本発明は、営業店に設置された帳票画像読取装置で受け付けた各種の帳票に関する情報を事務センタに設置された帳票処理装置に送信するとともに、該帳票処理装置で前記各種の帳票に関する情報の集計処理並びに前記各種の帳票の仕分け処理を行う帳票処理システムであって、前記帳票画像読取装置及び前記帳票処理装置にそれぞれ着脱可能であり、前記帳票画像読取装置で画像データが読み取られた帳票を収納するとともに、収納した帳票を前記帳票処理装置に排出する帳票収納庫を備え、前記帳票画像読取装置は、前記帳票の画像データを読み取る画像データ読取手段と、前記画像データ読み取り手段で画像データが読み取られた帳票を所定の帳票収納庫に格納制御する格納制御手段と、前記画像データ読取手段にて帳票の画像データを読み取る場合に、当該帳票を収納する帳票収納庫を一意に識別するための収納庫識別情報、該帳票収納庫に当該帳票を収納している順序である順序情報及び当該帳票の画像データとからなる帳票収納情報を生成する帳票収納情報生成手段と、を備え、前記帳票処理装置は、前記帳票収納情報及び仕分け条件情報に基づいて、帳票収納庫の収納庫識別情報、帳票を収納する順序情報及び帳票の仕分け先情報からなる仕分け情報を生成する仕分け情報生成手段と、任意の帳票収納庫が装着された場合に、当該帳票収納庫の収納庫識別情報から得た仕分け情報に基づいて、当該帳票収納庫から順次取り出す帳票を複数の仕分け先に仕分け処理する仕分け処理手段とを備えたことを特徴とする。
【００１２】
また、本発明は、上記発明において、前記帳票画像読取装置は、前記帳票収納情報生成手段により生成された帳票収納情報を前記帳票処理装置に対して送信制御する送信制御手段をさらに備え、前記帳票処理装置は、前記帳票画像読取装置から帳票収納情報を受信する受信制御手段と、前記受信制御手段で受信した帳票収納情報を記憶する帳票収納情報記憶手段と、前記帳票収納情報記憶手段に記憶された帳票収納情報に含まれる画像データから文字情報を抽出する文字情報抽出手段と、前記帳票収納庫の収納庫識別情報、前記順序情報及び前記文字情報抽出手段により抽出された文字情報からなる帳票収納文字情報を生成する帳票収納文字情報生成手段と、をさらに備え、前記仕分け情報生成手段は、前記帳票収納文字情報生成手段により生成された帳票収納文字情報及び仕分け条件情報に基づいて、帳票収納庫の収納庫識別情報、帳票を収納する順序情報及び帳票の仕分け先情報からなる仕分け情報を生成することを特徴とする。
【００１３】
また、本発明は、上記発明において、前記帳票画像読取装置は、帳票収納情報生成手段により生成された帳票収納情報に含まれる画像データから文字情報を抽出する文字情報抽出手段と、少なくとも前記順序情報及び前記文字情報抽出手段により抽出された文字情報からなる帳票収納文字情報を生成する帳票収納文字情報生成手段と、前記帳票収納文字情報生成手段により生成された帳票収納文字情報を前記帳票処理装置に対して送信制御する送信制御手段と、をさらに備え、前記帳票処理装置は、前記帳票画像読取装置から帳票収納文字情報を受信する受信制御手段と、前記受信制御手段で受信した帳票収納文字情報を記憶する帳票収納文字情報記憶手段と、をさらに備え、前記仕分け情報生成手段は、前記帳票収納文字情報生成手段により生成された帳票収納文字情報及び仕分け条件情報に基づいて、帳票収納庫の収納庫識別情報、帳票を収納する順序情報及び帳票の仕分け先情報からなる仕分け情報を生成することを特徴とする。
【００１４】
また、本発明は、上記発明において、前記帳票収納庫は、少なくとも自帳票収納庫を一意に識別するための収納庫識別情報を記憶する識別情報記憶手段と、前記帳票画像読取装置又は前記帳票処理装置に装着された場合に、前記識別情報記憶手段に記憶した収納庫識別情報を送信する送信手段と、を備え、前記帳票画像読取装置及び前記帳票処理装置は、装着された帳票収納庫から前記該帳票収納庫の収納庫識別情報を受信する受信手段を備えたことを特徴とする。
【００１５】
また、本発明は、上記発明において、前記帳票画像読取装置は、処理対象となる帳票の種類及び属性情報を入力する入力手段をさらに備え、前記格納制御手段は、前記入力手段で入力された帳票の種類又は属性情報に対応する帳票収納庫に当該帳票を格納制御することを特徴とする。
【００１６】
また、本発明は、上記発明において、帳票を読み取った帳票画像から該帳票の収納先や金額を含む帳票情報を取得し、取得した帳票情報に基づいて帳票の仕分け処理を行う帳票処理システムに用いられる帳票画像読取装置であって、複数の帳票を受け入れて一枚ずつ繰り出すホッパーと、前記帳票の画像データを読み取る画像データ読取手段と、前記画像データ読取手段により読み取られた画像データを記憶する記憶手段と、帳票収納庫を一意に識別するための収納庫識別情報を記憶し、前記帳票の収納及び繰り出しが可能な着脱自在の帳票収納庫と、前記帳票収納庫から繰り出された帳票を収納する固定式の一時保留収納部と、前記帳票の繰り出し及び搬送の制御、前記画像データの読み取り制御、印字制御を行う制御手段とを備えたことを特徴とする。
【００１７】
また、本発明は、上記発明において、前記制御手段は、前記帳票収納庫に収納された帳票を前記一時保留収納部に一時保留させつつ、所望の帳票を抽出して仕分け処理を行うことを特徴とする。
【発明の効果】
【００１８】
本発明によれば、帳票画像読取装置及び帳票処理装置にそれぞれ着脱可能であり、帳票画像読取装置で画像データが読み取られた帳票を収納するとともに、収納した帳票を帳票処理装置に排出する帳票収納庫を設け、帳票画像読取装置は、画像データが読み取られた帳票を所定の帳票収納庫に格納制御するとともに、帳票の画像データを読みとったのち、当該帳票を収納する帳票収納庫を一意に識別するための収納庫識別情報、該帳票収納庫に当該帳票を収納している順序である順序情報及び当該帳票の画像データとからなる帳票収納情報を生成し、帳票処理装置は、帳票収納情報及び仕分け条件情報に基づいて、帳票収納庫の収納庫識別情報、順序情報及び帳票の仕分け先情報からなる仕分け情報を生成し、任意の帳票収納庫が装着された場合に、当該帳票収納庫の収納庫識別情報から得た仕分け情報に基づいて、当該帳票収納庫から順次排出する帳票を複数の仕分け先に仕分け処理するよう構成したので、帳票に管理通番を付す必要がなくなり、あらゆる種別の帳票を正確かつ効率良く仕分けることができる。
【００１９】
また、本発明によれば、帳票画像読取装置は、帳票収納情報を帳票処理装置に対して送信制御し、帳票処理装置は、帳票画像読取装置から受信し、受信した帳票収納情報に含まれる画像データから文字情報を抽出し、帳票収納庫の収納庫識別情報、順序情報及び文字情報からなる帳票収納文字情報を生成し、生成した帳票収納文字情報及び仕分け条件情報に基づいて、帳票収納庫の収納庫識別情報、帳票を収納する順序情報及び帳票の仕分け先情報からなる仕分け情報を生成するよう構成したので、事務センタ側で統一的にＯＣＲを行って、効率良く仕分け情報を生成することができる。
【００２０】
また、本発明によれば、帳票画像読取装置は、帳票収納情報に含まれる画像データから文字情報を抽出して、少なくとも順序情報及び文字情報からなる帳票収納文字情報を生成し、生成した帳票収納文字情報を帳票処理装置に対して送信制御し、帳票処理装置は、帳票収納文字情報及び仕分け条件情報に基づいて、帳票収納庫の収納庫識別情報、帳票を収納する順序情報及び帳票の仕分け先情報からなる仕分け情報を生成するよう構成したので、帳票画像読取装置と帳票処理装置の間で画像データを転送する必要をなくし、ネットワークトラフィックを低減するとともに、帳票処理装置での処理負荷を軽減することができる。
【００２１】
また、本発明によれば、帳票収納庫は、少なくとも自帳票収納庫を一意に識別するための収納庫識別情報を記憶し、帳票画像読取装置又は帳票処理装置に装着された場合に、記憶した収納庫識別情報を送信するとともに、帳票画像読取装置及び帳票処理装置は、装着された帳票収納庫から該帳票収納庫の収納庫識別情報を受信するよう構成したので、帳票収納庫の収納庫識別情報の受け渡しを円滑に行うことができる。
【００２２】
また、本発明によれば、帳票画像読取装置は、処理対象となる帳票の種類及び属性情報が入力され、入力された帳票の種類又は属性情報に対応する帳票収納庫に当該帳票を格納制御するよう構成したので、帳票収納庫に様々な種類の帳票を混在させる状況を回避し、より効率的な帳票の仕分け処理が可能となる。
【００２３】
また、本発明によれば、複数の帳票を受け入れて一枚ずつ繰り出すホッパーと、帳票の画像データを読み取る画像データ読取手段と、画像データ読取手段により読み取られた画像データを記憶する記憶手段と、帳票収納庫を一意に識別するための収納庫識別情報を記憶し、前記帳票の収納及び繰り出しが可能な着脱自在の帳票収納庫と、帳票収納庫から繰り出された帳票を収納する固定式の一時保留収納部と、帳票の繰り出し及び搬送の制御、画像データの読み取り制御、印字制御を行う制御手段と、を設けるよう構成したので、着脱自在の帳票収納庫に収納した状態で帳票を管理することができるため、セキュリティを確保しつつ帳票の管理を効率良く行うことが可能となる。
【００２４】
また、本発明によれば、制御手段は、帳票収納庫に収納された帳票を一時保留収納部に一時保留させつつ、所望の帳票を抽出して仕分け処理を行うよう構成したので、様々な帳票を混在した状態で帳票収納庫に収納する状況を回避し、帳票をより効率的に管理することが可能となる。また、本発明によれば、制御手段は、混在投入された帳票を、一時保留収納部に一時保留させつつ、所望の帳票を抽出して帳票収納庫に収納するよう構成したので、様々な帳票を混在した状態で帳票収納庫に収納する状況を回避し、帳票をより効率的に管理することが可能となる。
【図面の簡単な説明】
【００２５】
【図１】図１は、本実施例１に係る帳票処理システムの概念を説明するための説明図である。
【図２】図２は、図１に示した帳票画像読取装置の構成を示す図である。
【図３】図３は、図１に示した帳票画像読取装置で帳票を読み取った画像データの一例を示す図である。
【図４】図４は、図１に示した帳票処理装置の構成を示す図である。
【図５】図５は、図４に示した仕分け条件データ並びに仕分けデータの一例を示す図である。
【図６】図６は、図１に示した着脱式カセットの一構成例を示す断面図である。
【図７】図７は、第１の巻き取りローラーの周辺部を示す要部斜視図である。
【図８】図８は、第２の巻き取りローラーへの帳票の収納を説明するための要部斜視図である。
【図９】図９は、図１に示した着脱式カセットの一構成例を示す断面図である。
【図１０】図１０は、帳票収納データに含まれる順序データと画像データの一例を示す図である。
【図１１】図１１は、帳票収納データの別の例を示す図である。
【図１２】図１２は、複数の着脱式カセットを利用する場合の帳票収納データを説明するための説明図である。
【図１３】図１３は、図１に示した帳票画像読取装置の処理手順を示すフローチャートである。
【図１４】図１４は、図１に示した帳票処理装置側の制御装置による仕分けデータの生成手順を示すフローチャートである。
【図１５】図１５は、図１に示した帳票処理装置による帳票の仕分け手順を示すフローチャートである。
【図１６】図１６は、本実施例２に係る帳票処理システムの概念を説明するための説明図である。
【図１７】図１７は、図１６に示した帳票画像読取装置の処理手順を示すフローチャートである。
【図１８】図１８は、図１６に示した帳票処理装置を制御する制御装置による仕分けデータの生成手順を示すフローチャートである。
【図１９】図１９は、着脱式カセットを利用して帳票収納データを受け渡す場合を説明するための説明図である。
【図２０】図２０は、本実施例３に係る帳票画像読取装置の概念を説明するための説明図である。
【図２１】図２１は、図２０に示した帳票画像読取装置の構成を示す図である。
【図２２】図２２は、図２０に示した帳票画像読取装置による帳票の仕分け処理の概念を説明するための説明図である。
【図２３】図２３は、図２０に示した帳票画像読取装置の処理手順を示すフローチャートである。
【図２４】図２４は、仕分け処理の概念を説明するための説明図である。
【発明を実施するための形態】
【００２６】
以下に、本願の開示する帳票処理システム及び帳票画像読取装置の実施例を図面に基づいて詳細に説明する。なお、以下に示す実施例１では、帳票処理装置側でＯＣＲ処理を行う場合を説明し、実施例２では、帳票画像読取装置側でＯＣＲ処理を行う場合を説明し、実施例３では帳票画像読取装置を単体運用する場合を説明することとする。
【実施例１】
【００２７】
まず、本実施例１に係る帳票処理システムの概念について説明する。図１は、本実施例１に係る帳票処理システムの概念を説明するための説明図である。図１に示すように、この帳票処理システムは、営業店側に設置される帳票画像読取装置と事務センタ側に設置される帳票処理装置とをネットワーク２０で接続した構成となる。なお、ここでは説明の便宜上、営業店側に設置される帳票画像読取装置を１台のみ図示することとしたが、この帳票画像読取装置は営業店ごとに設置される。また、帳票画像読取装置及び帳票処理装置の具体的な構成についての説明は後述することとする。
【００２８】
営業店側に設置される帳票画像読取装置は、帳票画像読取装置の本体部をなす帳票画像読取本体装置１０と、該帳票画像読取装置１０を制御する制御装置１１とからなる。また、事務センタ側に設置される帳票処理装置は、帳票処理装置の本体部をなす帳票処理装置３０と、該帳票処理装置３０を制御する制御装置３１とからなる。ここで、本実施例では、帳票画像読取装置１０と呼称する場合は帳票画像読取本体装置を示し、符号を付さない帳票画像読取装置と呼称する場合は帳票画像読取本体装置１０及び制御装置１１を含むこととする。同様に、本実施例では、帳票処理装置３０と呼称する場合は帳票処理本体装置を示し、符号を付さない帳票処理装置と呼称する場合は帳票処理装置３０及び制御装置３１を含むこととする。
【００２９】
まず、帳票処理システムの全体の処理の流れを説明する。帳票画像読取装置により処理される帳票の現物は着脱式カセット１０ｆに収納され、銀行等の行内メール便等で帳票処理装置に運搬される。そして、運搬された着脱式カセット１０ｆは帳票処理装置に装着され、帳票処理装置によって仕分けられることになる。
【００３０】
ここで、かかる着脱式カセット１０ｆの運搬に先立って、着脱式カセット１０ｆのカセットＩＤ、帳票の画像データ並びに帳票を着脱式カセット１０ｆに収納する順序データからなる帳票収納データが、帳票画像読取装置から帳票処理装置に対してネットワーク２０を介して転送される。帳票収納データを受信した帳票処理装置の制御装置３１は、該帳票収納データ及びどの種の帳票をどのスタッカへ送るかを定めた仕分け条件データ３４ｂを用いて仕分けデータ３４ａを生成し、どの着脱式カセット１０ｆに収納された複数の帳票をそれぞれどのスタッカに仕分けるのかを決めておく。そして、帳票処理装置３０に着脱式カセット１０ｆが装着されたならば、この着脱式カセット１０ｆ内の複数の帳票をそれぞれ該当する仕分け先のスタッカに仕分ける処理を行う。
【００３１】
上記一連の処理をさらに具体的に説明する。図１に示すように、帳票画像読取装置１０は、着脱式カセット１０ｆのカセットＩＤをリーダライタ１０ｅで読み取る。そして、ホッパー部１０ａに載置された複数の帳票を繰り出しローラーで順次繰り出し、搬送路上に設けられた画像読取部１０ｄを用いて帳票の画像データを読み取るとともに、読み取りを終えた帳票の現物を着脱式カセット１０ｆに収納する。
【００３２】
そして、リーダライタ１０ｅで読み取ったカセットＩＤ、画像読取部１０ｄで読み取った画像データ並びに着脱式カセット１０ｆに帳票が収納された順序を示す順序データを含む帳票収納データが、帳票収納データ送信部１０ｋから制御装置１１及びネットワーク２０を介して制御装置３１に送信される。
【００３３】
制御装置３１は、帳票収納データ受信部３１ａで帳票収納データを順次受信するとともに、受信した帳票収納データをそれぞれ記憶部３４に一時記憶する。なお、図１では記憶部３４に一時記憶する帳票収納データを図示省略している。ＯＣＲ部３１ｂは、記憶部３４に記憶した帳票収納データを順次読み出し、読み出した帳票収納データに含まれる画像データをＯＣＲ処理し、画像データに含まれる文字データを抽出する。また、ＯＣＲ部３１ｂで文字データを正確に抽出できない場合があるため、エントリ部３１ｃにてエントリ処理を行い、画像データから正確に文字データを得る。具体的には、このエントリ部３１ｃでは、オペレータによりエントリ部３１ｃのキーボードを使って抽出された文字を修正する処理を行う。そして、カセットＩＤ、順序データ及び文字データからなる帳票収納文字データを生成する。その後、仕分けデータ生成部３１ｄが、この帳票収納文字データ及び仕分け条件データ３４ｂを用いて、どの着脱式カセット１０ｆの何番目の帳票をどのスタッカに仕分けるかを示す仕分けデータ３４ａを生成する。なお、ＯＣＲ部３１ｂ、エントリ部３１ｃ及び仕分けデータ生成部３１ｄは、処理データを記憶部３４に一時記憶しつつ処理を行うことになる。
【００３４】
ここで、着脱式カセット１０ｆが帳票画像読取装置１０から取り外され、行内メール便等で営業店から事務センタに運搬され、帳票処理装置３０に着脱式カセット１０ｆが装着されると、この着脱式カセット１０ｆのカセットＩＤがリーダライタ３０ａにより読み取られる。これにより、仕分けデータ３４ａ内のカセットＩＤが特定されるため、この着脱式カセット１０ｆ内の各帳票をどのスタッカ部３０ｅのスタッカに仕分ければ良いかが分かり、仕分け処理部３０ｇが各帳票を該当するスタッカ部３０ｅのスタッカに搬送制御する。
【００３５】
このように、本実施例１では、帳票の現物に印字をしなくとも帳票の仕分け処理を行うことができるため、例えば帳票の全面に亘って文字が印字されているような帳票を含むあらゆる種類の帳票を仕分け対象とすることができる。この際、帳票の運搬は着脱式カセット１０ｆを介して行うため、運搬途中で帳票の順番が入れ替わることがなく、帳票の紛失や抜き取り等についても未然に防止することができる。
【００３６】
次に、図１に示した帳票画像読取装置についてさらに詳細に説明する。図２は、図１に示した帳票画像読取装置の構成を示す図である。同図に示すように、帳票画像読取装置１０は、ホッパー部１０ａと、繰り出しローラー１０ｂと、搬送路１０ｃと、画像読取部１０ｄと、リーダライタ１０ｅと、着脱式カセット１０ｆと、固定カセット１０ｇと、一時保留部１０ｈと、スタッカ１０ｉと、帳票収納データ送信部１０ｋを有する制御部１０ｊとを備える。
【００３７】
ホッパー部１０ａは、複数の帳票を載置する開口部であり、繰り出しローラー１０ｂは、ホッパー部１０ａに載置された帳票を搬送路１０ｃに繰り出すローラーである。搬送路１０ｃは、ホッパー部１０ａに載置された帳票を最終的に着脱式カセット１０ｆ又は固定カセット１０ｇまで搬送するための搬送路である。
【００３８】
画像読取部１０ｄは、イメージスキャナなどの光学的に画像データを読み取る装置である。この点について図３を用いて具体的に説明する。図３は、「○○電力株式会社（払込通知票）」の帳票を読み取った画像データを示している。ホッパー部１０ａに載置された帳票（○○電力株式会社（払込通知票））は、繰り出しローラー１０ｂにより繰り出されて画像読取部１０ｄの位置に搬送される。そして、画像読取部１０ｄが画像データを読み込むことで、図３に示した帳票の画像データが得られることになる。画像読取部１０ｄは、読み取った帳票の画像データを帳票収納データ送信部１０ｋに受け渡す。なお、この画像読取部１０ｄは、帳票の表面と裏面の両面に情報が記載されている場合には、両面の画像データを読み取ることになる。
【００３９】
リーダライタ１０ｅは、例えばＲＦＩＤタグ方式等を用いて着脱式カセット１０ｆの内部のタグに記憶されたカセットＩＤを読み取り、読み取ったカセットＩＤを帳票収納データ送信部１０ｋに受け渡すデバイスである。なお、このリーダライタ１０ｅは、接触方式又は非接触方式の様々な方式を用いて着脱式カセット１０ｆのカセットＩＤを読み取ることができる。また、このカセットＩＤは、固定的にタグ内に記憶される場合と、適宜付与されたものをタグ内に記憶する場合の両方がある。
【００４０】
着脱式カセット１０ｆは、巻き取り方式で帳票を順次収納するカセットであり、カセット内部に該着脱式カセットを一意に特定するカセットＩＤを記憶する。この着脱式カセット１０ｆは、帳票画像読取装置１０に着脱自在に構成されている。この着脱式カセット１０ｆが帳票画像読取装置１０に装着された時点で、リーダライタ１０ｅにより着脱式カセット１０ｆのカセットＩＤが読み取られる。この着脱式カセット１０ｆには、例えば口座振替依頼書、手形・小切手並びに税・公金等の事務センタの管理対象となる帳票が収納される。
【００４１】
固定カセット１０ｇは、画像読取部１０ｄで画像データが読み取られた帳票を収納するため、帳票画像読取装置１０に設けられた巻き取り式のカセットである。この固定カセット１０ｇは、通常は着脱式カセット１０ｆのように帳票画像読取装置１０から簡易に着脱されることはないが、所定の操作を行うことで帳票画像読取装置１０から着脱するようにしてもよい。画像データが読み取られた帳票のうち、例えば融資、相続、各種契約書、投資信託、諸届け等の営業店で一時保管されるべき帳票が、この固定カセット１０ｇに収納される。なお、帳票を収納する時点で該帳票の種別等が操作者により入力されるため、この入力データを参照して、該帳票を着脱式カセット１０ｆ又は固定カセット１０ｇのいずれに収納するかが判定される。なお、本実施例では固定カセット１０ｇを巻き取り式のカセットとした場合を説明するが、巻き取り式以外のカセットを用いることもできる。
【００４２】
一時保留部１０ｈは、巻き取り式の着脱式カセット１０ｆ及び固定カセット１０ｇに収納された帳票に必要な帳票を差し込むような場合に利用される巻き取り式の収納部である。例えば、着脱式カセット１０ｆに収納された帳票に必要な書類が全て揃っておらず、この帳票に新たな書類を追加する場合には、この帳票よりも後に収納された帳票を一時的に一時保留部１０ｈに吐き出した後に追加する書類が着脱式カセット１０ｆに収納された帳票に収納され、その後一時保留部１０ｈに一時保留された帳票が着脱式カセット１０ｆに戻される。
【００４３】
スタッカ１０ｉは、着脱式カセット１０ｆ及び固定カセット１０ｇのいずれにも収納されない帳票を排出するスタッカである。かかる判定は、帳票を収納する時点で操作者により入力された該帳票の種別等に基づいてなされる。
【００４４】
制御部１０ｊは、帳票画像読取装置１０の全体制御を行う制御部であり、帳票の搬送制御、画像読取制御、帳票の収納先カセットの判定処理並びに着脱式カセット１０ｆへの帳票の格納順序の管理等を行う。この制御部１０ｊは、帳票収納データ送信部１０ｋを有する。
【００４５】
帳票収納データ送信部１０ｋは、帳票を格納する着脱式カセット１０ｆのカセットＩＤ、制御部１０ｊから受け取った着脱式カセット１０ｆへの帳票の格納順序を示す順序データ並びに該帳票の画像データからなる帳票収納データを生成して制御装置１１に送信制御する処理部である。
【００４６】
なお、この帳票画像読取装置１０の搬送路１０ｃには、帳票に管理通番を印字するエンドーサが設けられていない。本実施例１では、帳票に管理通番を付与しなくとも、帳票の仕分けが可能に構成されているからである。
【００４７】
制御装置１１は、帳票画像読取装置１０を制御する外部制御装置であり、パーソナルコンピュータ等で構成される。この制御装置１１は、液晶パネルやディスプレイ等の表示部１２、キーボードやマウス等の入力部１３を有する。また、この制御装置１１は、帳票画像読取装置１０から受信した帳票収納データを制御装置３１に送信する帳票収納データ処理部１１ａを有する。
【００４８】
次に、図１に示した帳票処理装置の構成についてさらに詳細に説明する。図４は、図１に示した帳票処理装置の構成を示す図である。同図に示すように、帳票処理装置３０は、リーダライタ３０ａと、繰り出しローラー３０ｂと、ベルトにより挟持された状態で帳票が搬送される搬送路３０ｃと、排出ローラー３０ｄと、スタッカ部３０ｅと、仕分け処理部３０ｇを有する制御部３０ｆとを備える。
【００４９】
リーダライタ３０ａは、例えばＲＦＩＤタグ方式等を用いて着脱式カセット１０ｆの内部に格納されたカセットＩＤを読み取り、読み取ったカセットＩＤを制御部３０ｆに受け渡すデバイスである。なお、このリーダライタ３０ａは、接触方式又は非接触方式の様々な方式を用いて着脱式カセット１０ｆのカセットＩＤを読み取ることができる。
【００５０】
繰り出しローラー３０ｂは、着脱式カセット１０ｆに収納された帳票を搬送路３０ｃに繰り出すローラーである。搬送路３０ｃは、着脱式カセット１０ｆに収納された帳票を最終的にスタッカ部３０ｅのいずれかのスタッカまで搬送するための搬送路である。この搬送路３０ｃは、スタッカ部３０ｅに設けられた複数のスタッカにそれぞれ帳票を搬送できるよう分岐されており、この分岐位置での分岐は仕分け処理部３０ｇにより制御される。排出ローラー３０ｄは、搬送路３０ｃを搬送される帳票をスタッカ部３０ｅに排出するためのローラーであり、スタッカ部３０ｅは、帳票を仕分けて集積する複数のスタッカからなる帳票の集積部である。
【００５１】
制御部３０ｆは、帳票処理装置３０を全体制御する制御部であり、リーダライタ３０ａで読み取られたカセットＩＤを制御装置３１へ通知する処理や、制御装置３１から受け取ったカセットＩＤに対応する仕分けデータ３４ａの一部を仕分け処理部３０ｇに受け渡す処理等を行う。この制御部３０ｆには、仕分け処理部３０ｇが存在する。
【００５２】
仕分け処理部３０ｇは、着脱式カセット１０ｆ内の各帳票をスタッカ部３０ｅの各スタッカに仕分け処理する処理部であり、具体的には、制御部３０ｆから受け取った仕分けデータ３４ａを利用して仕分け処理を行う。この仕分けデータ３４ａには、順序データと仕分け先のスタッカの情報が含まれるため、着脱式カセット１０ｆから取り出した帳票の取り出し順にしたがって仕分け先のスタッカを特定し、該スタッカに帳票が排出されるよう処理することになる。
【００５３】
制御装置３１は、帳票処理装置３０を制御する外部制御装置であり、パーソナルコンピュータ等で構成される。この制御装置３１は、液晶パネルやディスプレイ等の表示部３２と、キーボードやマウス等の入力部３３と、ハードディスク装置や不揮発性メモリからなる記憶部３４とを有する。この記憶部３４内には、着脱式カセット１０ｆのカセットＩＤ、該着脱式カセット１０ｆに帳票を収納した順序を示す順序データ及び帳票の仕分け先であるスタッカを示す仕分け先データからなる仕分けデータ３４ａと、仕分け条件を示す仕分け条件データ３４ｂとが格納されている。
【００５４】
制御装置３１は、帳票収納データ受信部３１ａ、ＯＣＲ部３１ｂ、エントリ部３１ｃ及び仕分けデータ生成部３１ｄが存在する。これらの帳票収納データ受信部３１ａ、ＯＣＲ部３１ｂ、エントリ部３１ｃ及び仕分けデータ生成部３１ｄは、制御装置３１のＣＰＵ上で動作するプログラムである。
【００５５】
帳票収納データ受信部３１ａは、帳票画像読取装置１０からネットワーク２０を介して送信される帳票収納データを受信処理する処理部である。この帳票収納データには、着脱式カセット１０ｆのカセットＩＤ、該着脱式カセット１０ｆに帳票を収納した順序を示す順序データ並びに該着脱式カセット１０ｆに収納した帳票の画像データが含まれる。
【００５６】
ＯＣＲ部３１ｂは、帳票収納データ受信部３１ａで受信した帳票収納データに含まれる画像データから文字データを抽出する処理部である。エントリ部３１ｃは、オペレータがキーボードを使って抽出された文字を修正する処理部である。このエントリ部３１ｃを設けた理由は、ＯＣＲ部３１ｂで文字データを正確に抽出できない場合があるためである。
【００５７】
仕分けデータ生成部３１ｄは、まず帳票収納データの画像データを文字データに置き換えた帳票収納文字データを生成する。この帳票収納文字データには、着脱式カセット１０ｆのカセットＩＤ、該着脱式カセット１０ｆに帳票を収納した順序を示す順序データ並びに該着脱式カセット１０ｆに収納した帳票の画像データ内の文字データが含まれる。
【００５８】
その後、仕分けデータ生成部３１ｄは、この帳票収納文字データ内の文字データと、どの種類の帳票をどのスタッカに収納するかと言う条件を規定した仕分け条件データとを用いて、着脱式カセット１０ｆのカセットＩＤ、該着脱式カセット１０ｆに帳票を収納した順序を示す順序データ並びに帳票の仕分け先であるスタッカを示す仕分け先データからなる仕分けデータを生成する。この仕分けデータは、図４のスタッカ部３０ｅの各スタッカにどの種類の帳票を入れるかを示すデータである。この仕分け先データが存在すれば、帳票の順序データが特定された時点で、この帳票をどのスタッカに仕分けるかが分かる。
【００５９】
この仕分けデータ生成部３１ｄの処理について、図５を用いてさらに具体的に説明する。図５は、図４に示した仕分け条件データ３４ｂ並びに仕分けデータ３４ａの一例を示す図である。図５（ａ）に示す仕分け条件データ３４ｂは、「スタッカＡ」が市民税納付書に対応づけられ、「スタッカＢ」が自動車税納付書に対応づけられた状況を示している。つまり、この仕分け条件データ３４ｂは、「市民税納付書をスタッカＡに仕分ける」、「自動車税の納付書はスタッカＢに仕分ける」という条件が規定されていることになる。このため、例えば、帳票収納文字データ内の文字データに「市民税」が含まれる場合には、この帳票の仕分け先は「スタッカＡ」となる。
【００６０】
例えば、帳票収納文字データ内にカセットＩＤ「１」、順序データ「１」の画像文字データに「市民税」と言う情報を含む行が含まれる場合には、図６（ａ）の仕分け条件データ３４ａを参照することで、該当する帳票をスタッカＡに仕分けるべきであることが分かる。このため、仕分けデータ３４ａのカセットＩＤ「１」、順序データ「１」の仕分け先スタッカは「Ａ」となる。同様に、帳票収納文字データ内にカセットＩＤ「１」、順序データ「２」の文字データに「自動車税」と言う情報を含む行が含まれる場合には、図６（ａ）の仕分け条件データ３４ａを参照することで、該当する帳票をスタッカＢに仕分けるべきであることが分かる。このため、仕分けデータ３４ａのカセットＩＤ「１」、順序データ「２」の仕分け先スタッカは「Ｂ」となる。このようにして、仕分けデータ３４ａが生成される。なお、帳票読み取り時に予め分類された帳票を処理する場合には、制御装置１１でオペレータにより帳票種別を入力させることも可能である。
【００６１】
図５（ｂ）に示す仕分けデータ３４ａは、カセットＩＤが「１」で順序データが「１」の帳票を仕分け先スタッカＡに仕分け、カセットＩＤが「１」で順序データが「２」の帳票を仕分け先スタッカＢに仕分け、カセットＩＤが「１」で順序データが「３」の帳票を仕分け先スタッカＤに仕分ける状況を示している。
【００６２】
次に、図１に示した着脱式カセット１０ｆによる帳票の巻き取り機構についてさらに詳細に説明する。なお、この着脱式カセット１０ｆは、すでに説明したように帳票画像読取装置１０及び帳票処理装置３０に着脱自在に構成されており、かつ、当該着脱式カセット１０ｆを一意に特定するカセットＩＤを記憶する点に特徴があるが、ここでは説明の便宜上これらの点についての詳細な説明を省略し、帳票の巻き取り機構を中心に説明することとする。
【００６３】
図６は、図１に示した着脱式カセット１０ｆの一構成例を示す断面図であり、図７は、第１の巻き取りローラーの周辺部を示す要部斜視図である。図８は、第２の巻き取りローラーへの帳票の収納を説明するための要部斜視図であり、図９は、図１に示した着脱式カセット１０ｆの一構成例を示す断面図である。図６及び図９に示すように、この着脱式カセット１０ｆには、着脱式カセット１０ｆを一意に特定するカセットＩＤを記憶するカセットＩＤ記憶部が設けられている。このカセットＩＤ記憶部に記憶したカセットＩＤは、図１に示した帳票画像読取装置１０のリーダライタ１０ｅ又は帳票処理装置３０のリーダライタ３０ａにより読み取られる。
【００６４】
図６に示すように、帳票出入口３０２の内部直近位置には、テープＴＡ、ＴＢが経由するローラー３０３Ａ、３０３Ｂが上下に対向して設けられている。また、この上側に設けられたローラー３０３Ａの奥側及び下側に設けられたローラー３０３Ｂの下方側には、たとえば図７に示すようにテープ用のガイドフランジが設けられたリール状を呈する第１の巻取りローラー３０４Ａ及び第１の巻取りローラー３０４Ｂがそれぞれ第１の巻取り軸３０５Ａ、第１の巻取り軸３０５Ｂにテンション付加用トルクリミッタ３０６Ａ、テンション付加用トルクリミッタ３０６Ｂを介して取付けられている。また、第１の巻取りローラー３０４Ａ及び第１の巻取りローラー３０４Ｂの近傍には、アイドラ３０９Ａ、３０９Ｂが配置されている。
【００６５】
上記第１の巻取りローラー３０４Ａ、３０４Ｂの間の略中央位置には、帳票幅と同等またはそれ以上の長さの軸長を有する第２の巻取りローラー３０７が第２の巻取り軸３０８に支持されている。図８に示す第２の巻取りローラー３０７に巻かれたテープＴＡ、ＴＢは、前記のローラー３０３Ａ、３０３Ｂ、アイドラ３０９Ａ、３０９Ｂを経由して第１の巻取りローラー３０４Ａ、３０４Ｂにそれぞれ導かれる。
【００６６】
なお、図８においてはテープＴＡ及びテープＴＢのテープ幅が帳票幅の略１／３程度に示されているが、このテープ幅は特に限定されるものではなく、帳票を確実にテープＴＡ及びテープＴＢにより挟み込んで収納及び繰り出しができる幅であれば適宜設定可能である。なお、帳票に印紙等が貼付されることを考慮した場合には、テープＴＡ及びテープＴＢのテープ幅は、印紙等が貼付される部分をテープＴＡ及びテープＴＢで覆うことができる幅とすることが好ましい。テープＴＡ及びテープＴＢのテープ幅をこのような幅とすることにより、印紙等の剥がれ等を防止して帳票の収納及び繰り出しを行うことができる。
【００６７】
図６及び図８に示すように、第２の巻取りローラー３０７の外周には、帳票Ｐの有無を検知するためのセンサＳ1が第２の巻取りローラー３０７の外周面から所定の距離を隔てて配置されている。これにより、１枚の帳票Ｐが第２の巻取りローラー３０７に巻付いていてもこれを検知することができるようになっている。
【００６８】
そのほかカセット３０１内には、図６に示すようにローラー３０３Ａ、３０３Ｂと第２の巻取りローラー３０７との間にテープＴを挟んで設けられた一対の帳票検知用センサＳ2、ローラー３０３Ａとアイドラ３０９Ａとの間にテープＴを挟んで設けられたテープＴの両終端検知用センサＳ3が配置されている。
【００６９】
また、カセット３０１の帳票出入口３０２の外部には、帳票出入口３０２への帳票Ｐの繰込みまたは取出しのための搬送装置３１０が配設されている。この搬送装置３１０は、たとえば上下一対のベルトまたはローラー列により構成することができる。
【００７０】
このように構成された一時保留部内に帳票を納入する場合は、図６に示すように図示しない駆動系により第２の巻取り軸３０８を同図において時計方向（矢印方向）に回動させる。これにより第２の巻取りローラー３０７は時計方向（矢印方向）に回動し、テープＴが該第２の巻取りローラー３０７に巻き取られる。このとき第２の巻取り軸３０８の回転速度はテープＴＡ、ＴＢの巻取り速度Ｖ1 が搬送装置３１０の搬送速度Ｖ2 より大きくなるように設定され、帳票Ｐを引き込むよう作用することにより、帳票のジャムが防止される。
【００７１】
また、第２の巻取りローラー３０７によりテープＴＡ、ＴＢを巻取る際、第１の巻取りローラー３０４Ａ、３０４ＢはテープＴの引張り作用により反時計方向に回転しようとするが、第１の巻取りローラー軸３０５Ａ、３０５Ｂが反時計方向には回転しないのでテープＴＡ、ＴＢにテンションが発生する。そして、このテンションが所定以上になるとトルクリミッタ３０６Ａ、３０６Ｂに所定以上のトルクがかかり、第１の巻取りローラー３０４Ａ、３０４Ｂが反時計方向（矢印方向）に回転するようになる。その結果、テープＴＡ、ＴＢには常にトルクリミッタの設定トルクに応じたテンションが付与されることになる。
【００７２】
このようにして、収納すべき帳票Ｐの収納が終了すると駆動系が停止される。また、このとき、収納された帳票Ｐの枚数は帳票検知用センサＳ2 によってカウントされる。そして、帳票Ｐの収納指令がある毎に上記作用を繰り返して帳票Ｐを収納していくが、帳票Ｐの収納が進んで所定量を収納すると、テープＴの終端がセンサＳ3 により検知され、それ以上の受収を停止する。これによりテープＴの破損等を防止して、確実に帳票を収納することができる。
【００７３】
帳票Ｐを排出する場合は、図示しない駆動系により図９に示すように第２の巻取り軸３０８が同図において反時計方向（矢印方向）に回動し、第２の巻取りローラー３０７を反時計方向（矢印方向）に回転させてテープＴＡ、ＴＢを巻戻していく。また、このとき、第１の巻取り軸３０５Ａ、３０５ＢにはこのテープＴＡ、ＴＢが巻き戻される速度よりも速い巻き取り速度の動力が駆動系から与えられる。これにより、テープＴＡ、ＴＢの巻戻される速度よりも速い速度で第１の巻取りローラー３０４Ａ、３０４ＢがテープＴＡ、ＴＢを巻取ろうとするので、テープＴＡ、ＴＢはたるむことがなくテープＴＡ、ＴＢにテンションが生じる。そして、そのテンションが所定以上になるとトルクリミッタ３０６Ａ、３０６Ｂに所定以上のトルクがかかり、滑りを生じることになる。その結果、テープＴＡ、ＴＢには常にトルクリミッタ３０６Ａ、３０６Ｂの設定トルクに応じたテンションが付与されることになる。
【００７４】
このようにして、テープＴＡ、ＴＢが第２の巻取りローラー３０７から巻戻されていくのにつれてテープＴＡ、ＴＢ間の帳票Ｐは帳票出入口３０２から投出され、搬送装置３１０へ受け渡される。そして、排出されるべき枚数の帳票Ｐが帳票検知用センサＳ2 で検知されると駆動系が停止され、帳票の一時保留部からの排出が終了する。そして、帳票Ｐの排出指令がある毎に上記動作を繰り返して帳票Ｐを排出していくが、帳票Ｐがすべて排出されてしまうと、センサＳ1 が「帳票未収納状態」を検出して、第２の巻取りローラー３０７に収納されている帳票が無くなったことを制御装置側へ知らせる。この帳票の排出時にはテープＴの速度Ｖ1 と搬送装置３１０の速度Ｖ2 の関係はＶ1 ＜Ｖ2 とされ、Ｖ2 の方が所定量だけ大きくされており、帳票のジャムを防止しながら帳票Ｐを引き抜くように作用する。
【００７５】
次に、図１に示した帳票収納データ送信部１０ｋが送信する帳票収納データについてさらに詳細に説明する。図１０は、帳票収納データに含まれる順序データと画像データの一例を示す図である。同図に示すように、帳票１、帳票２、…、帳票Ｎの順序で各帳票が着脱式カセット１０ｆに巻き取られた場合には、順序データ１が帳票１の画像データに対応し、順序データ２が帳票２の画像データに対応し、順序データＮが帳票Ｎの画像データに対応する。
【００７６】
このため、カセットＩＤ「００１」、順序データ「１」、画像データ「帳票１」、順序データ「２」、画像データ「帳票２」、…、順序データ「Ｎ」、画像データ「帳票Ｎ」からなる一連のデータが帳票収納データに含まれることとなる。
【００７７】
なお、本実施例１では、説明の便宜上帳票収納データ内に画像データそのものを入れる場合を示したが、帳票収納データ内に画像データそのものを入れるのではなく、画像データの代わりに画像データを一意に識別する識別情報（画像データＩＤ）を入れることもできる。
【００７８】
図１１は、帳票収納データの別の例を示す図である。同図に示すように、帳票１、帳票２、…、帳票Ｎの順序で各帳票が着脱式カセット１０ｆに巻き取られた場合には、順序データ１が帳票１の画像データに対応し、順序データ２が帳票２の画像データに対応し、順序データＮが帳票Ｎの画像データに対応する。
【００７９】
ここで、帳票収納データ内には画像データを入れず、画像データの代わりに画像データＩＤを入れる。これにより、順序データ「１」、画像データＩＤ「０００１」、順序データ「２」、画像データＩＤ「０００２」、…、順序データ「Ｎ」、画像データＩＤ「０００Ｎ」からなる一連のデータが帳票収納データに含まれることとなる。
【００８０】
そして、この帳票収納データとは別に、画像データＩＤと画像データの対からなるデータを別途送信することで、帳票収納データのデータサイズを大幅に圧縮できるとともに、この帳票収納データを受信した制御装置３１では、画像データＩＤと画像データの対からなるデータと帳票収納データを用いて、着脱式カセット１０ｆに収納した帳票の順序データと画像データの対応関係を特定することが可能となる。
【００８１】
ここで、現実には１つの着脱式カセット１０ｆのみが利用されるのではなく、複数の着脱式カセット１０ｆが利用される。このため、図１２に示すように、着脱式カセット１０ｆのカセットＩＤ、着脱式カセット１０ｆに帳票を収納する順序データ、帳票の画像データを含む帳票収納データを利用することとなる。
【００８２】
例えば、カセットＩＤ「１」の着脱式カセット１０ｆに帳票１−１〜帳票１−Ｎを順次収納し、カセットＩＤ「２」の着脱式カセット１０ｆに帳票２−１〜帳票２−Ｎを順次収納する場合には、カセットＩＤ「１」、順序データ「１」、画像データ「帳票１−１」、カセットＩＤ「１」、順序データ「２」、画像データ「帳票１−２」、…、カセットＩＤ「１」、順序データ「Ｎ」、画像データ「帳票１−Ｎ」、カセットＩＤ「２」、順序データ「１」、画像データ「帳票２−１」、カセットＩＤ「２」、順序データ「２」、画像データ「帳票２−２」、…、カセットＩＤ「２」、順序データ「Ｎ」、画像データ「帳票２−Ｎ」からなる一連のデータが帳票収納データに含まれることとなる。
【００８３】
なお、ここでは着脱式カセット１０ｆのカセットＩＤ、着脱式カセット１０ｆに帳票を収納する順序データ、帳票の画像データの３つが帳票収納データに含まれる場合を示したが、本発明はこれに限定されるものではなく、例えば着脱式カセットを一つしか使用しない前提に立てば、順序データ及び画像データの２つを帳票収納データに含ませることもできる。
【００８４】
次に、図１に示した帳票画像読取装置の処理手順について説明する。図１３は、図１に示した帳票画像読取装置の処理手順を示すフローチャートである。同図に示すように、帳票画像読取装置１０は、当初着脱式カセット１０ｆの装着待ちの状態にあり（ステップＳ１０１：Ｎｏ）、着脱式カセット１０ｆが装着されたならば（ステップＳ１０１：Ｙｅｓ）、この着脱式カセット１０ｆのカセットＩＤをリーダライタ１０ｅで読み取り（ステップＳ１０２）、画像読取操作待ちの状態となる（ステップＳ１０３：Ｎｏ）。
【００８５】
ここで、操作者が、ホッパー部１０ａに複数の帳票を載置し、所定の画像読取操作を行ったならば（ステップＳ１０３：Ｙｅｓ）、ホッパー部１０ａに載置された複数の帳票を繰り出しローラーで順次繰り出し搬送し（ステップＳ１０４）、搬送路１０ｃ上に設けられた画像読取部１０ｄを用いて帳票の画像データを読み取り（ステップＳ１０５）、読み取りを終えた帳票の現物を着脱式カセット１０ｆに収納する（ステップＳ１０６）。
【００８６】
そして、リーダライタ１０ｅで読み取ったカセットＩＤ、画像読取部１０ｄで読み取った画像データ並びに着脱式カセット１０ｆに帳票が収納された順序を示す順序データを含む帳票収納データを生成し（ステップＳ１０７）、生成した帳票収納データを一時記憶する（ステップＳ１０８）。
【００８７】
かかる一連の処理をホッパー部１０ａに載置された帳票がなくなるまで繰り返し（ステップＳ１０９：Ｎｏ）、ホッパー部１０ａに載置された全ての帳票の処理を終えたならば（ステップＳ１０９：Ｙｅｓ）、一時記憶した帳票収納データを帳票収納データ送信部１０ｋから制御装置１１に送信する（ステップＳ１１０）。
【００８８】
一方、制御装置１１は、帳票収納データの受信待ちの状態にあり（ステップＳ１１１：Ｎｏ）、該帳票収納データを受信したならば（ステップＳ１１１：Ｙｅｓ）、この帳票収納データを一時記憶するとともに（ステップＳ１１２）、ネットワーク２０を介して帳票処理装置側に送信する（ステップＳ１１３）。
【００８９】
次に、図１に示した制御装置３１による仕分けデータ３４ａの生成手順について説明する。図１４は、図１に示した制御装置３１による仕分けデータ３４ａの生成手順を示すフローチャートである。図１４（ａ）に示すように、制御装置３１は、当初帳票収納データの受信待ち状態にあり（ステップＳ２０１：Ｎｏ）、帳票収納データ受信部３１ａで帳票収納データを受信したならば（ステップＳ２０１：Ｙｅｓ）、帳票収納データを一時記憶する（ステップＳ２０２）。
【００９０】
その一方で、図１４（ｂ）に示すように、ＯＣＲ部３１ｂは一時記憶した帳票収納データを読み出して該帳票収納データに含まれる画像データをＯＣＲ処理し、帳票収納データ内の画像データに含まれる文字データを抽出する（ステップＳ２０３）。また、エントリ部３１ｃにてオペレータによるエントリ処理を行って画像データから正確に文字データを抽出する（ステップＳ２０４）。そして、カセットＩＤ、順序データ及び文字データからなる帳票収納文字データを生成する（ステップＳ２０５）。
【００９１】
その後、この帳票収納文字データ及び仕分け条件データを用いて、当該着脱式カセット１０ｆの何番目の帳票をどのスタッカに仕分けるかを示す仕分けデータ３４ａを生成し（ステップＳ２０７）、仕分けデータを一時記憶する（ステップＳ２０８）。
【００９２】
上記一連の処理を未処理の帳票収納データがなくなるまで繰り返し（ステップＳ２０９：Ｙｅｓ）、全ての帳票収納データの処理を終えたならば（ステップＳ２０９：Ｎｏ）、仕分けデータ３４ａの生成が完了する。
【００９３】
次に、図１に示した帳票処理装置３０による帳票の仕分け手順について説明する。図１５は、図１に示した帳票処理装置３０による帳票の仕分け手順を示すフローチャートである。着脱式カセット１０ｆが帳票画像読取装置１０から取り外され、行内メール便等で営業店から事務センタに運搬され、帳票処理装置３０に着脱式カセット１０ｆが装着されると（ステップＳ３０１：Ｙｅｓ）、この着脱式カセット１０ｆのカセットＩＤがリーダライタ３０ａにより読み取られる（ステップＳ３０２）。
【００９４】
その後、着脱式カセット１０ｆの帳票を繰り出し搬送し（ステップＳ３０３）、仕分けデータ３４ａを参照して帳票の仕分け先を取得する（ステップＳ３０４）。具体的には、着脱式カセット１０ｆのカセットＩＤが読み取られているため、このカセットＩＤと着脱式カセット１０ｆから帳票を読み出す順序を示す順序データが特定されれば、仕分けデータ３４ａを参照して仕分け先のスタッカを特定することができる。このようにして仕分け先が取得されたならば、仕分け処理部３０ｇが帳票を該当するスタッカ部３０ｅのスタッカに搬送する（ステップＳ３０５）。
【００９５】
上記一連の処理を着脱式カセット１０ｆ内の帳票がなくなるまで繰り返し（ステップＳ３０６：Ｙｅｓ）、着脱式カセット１０ｆ内の帳票がなくなったならば（ステップＳ３０６：Ｎｏ）、処理を終了する。
【００９６】
上述してきたように、本実施例１は、着脱式カセット１０ｆのカセットＩＤ、該着脱式カセット１０ｆに帳票を収納する順序データ及び該帳票の画像データを含む帳票収納データを帳票画像読取装置１０から制御装置３１に送信し、制御装置３１がこの帳票収納データ内の画像データにＯＣＲ処理及びＯＣＲ処理結果をオペレータが修正するエントリ処理を行って文字データを抽出して、該文字データを含む帳票収納文字データを生成するとともに、該帳票収納文字データ及び仕分け条件データからカセットＩＤ、順序データ及び仕分け先データからなる仕分けデータ３４ａを生成しておき、着脱式カセット１０ｆが帳票処理装置３０に装着されたならば、この着脱式カセット１０ｆのカセットＩＤ及び仕分けデータ３４ａを用いて仕分け先のスタッカ部３０ｅのスタッカを特定して仕分け処理を行うよう構成したので、帳票の現物に印字をしなくとも帳票の仕分け処理を行うことができるため、例えば帳票の全面に亘って文字が印字されているような帳票を含むあらゆる種類の帳票を仕分け対象とすることができる。この際、帳票の運搬は着脱式カセット１０ｆを介して行うため、運搬途中で帳票の順番が入れ替わることがなく、帳票の紛失や抜き取り等についても未然に防止することができる。
【実施例２】
【００９７】
ところで、上記実施例１では、帳票処理装置３０を制御する制御装置３１でＯＣＲ処理及びエントリ処理を行う場合を示したが、本発明はこれに限定されるものではない。そこで、本実施例２では、帳票画像読取装置１０を制御する制御装置１１でＯＣＲ処理及びエントリ処理を行う場合を示すこととする。
【００９８】
まず、本実施例２に係る帳票処理システムの概念について説明する。図１６は、本実施例２に係る帳票処理システムの概念を説明するための説明図である。図１６に示すように、この帳票処理システムは、帳票画像読取装置１０を制御する制御装置４０で画像データから文字情報を読み取るＯＣＲ処理及びＯＣＲ処理結果をオペレータが修正するエントリ処理を行うとともに、帳票処理装置側に帳票収納文字データを送信している点に特徴がある。なお、帳票画像読取装置１０及び帳票処理装置３０は、図１に示すものと同様のものであるので、ここでは同一の符号を付すこととして、その詳細な説明は省略する。
【００９９】
制御装置４０は、帳票収納データ受信部４０ａで帳票収納データを受信したならば、受信した帳票収納データを記憶部４０ｅに一時記憶する。ＯＣＲ部４０ｂは帳票収納データに含まれる画像データをＯＣＲ処理し、エントリ部４０ｃはオペレータによる文字修正を意味するエントリ処理を行い、画像データから正確に文字データを抽出する。なお、ＯＣＲ部４０ｂ及びエントリ部４０ｃは、処理データを記憶部４０ｅに一時記憶しつつ処理を行うことになる。
【０１００】
その後、帳票収納文字データ送信部４０ｄが、着脱式カセット１０ｆのカセットＩＤ、着脱式カセット１０ｆに帳票を収納した順序データ並びに画像データから抽出された文字データを含む帳票収納文字データを生成して、ネットワーク２０を介して制御装置５０に帳票収納文字データを送信する。
【０１０１】
制御装置５０は、帳票収納文字データ受信部５０ａで帳票収納文字データを受信したならば、仕分けデータ生成部３１ｄが、この帳票収納文字データ及び仕分け条件データ３４ｂを用いて、どの着脱式カセット１０ｆのどの帳票をどのスタッカに仕分けるかを示す仕分けデータ３４ａを生成する。なお、仕分け条件データ３４ｂ、仕分けデータ３４ａについては、実施例１のものと同様になるので、ここではその説明を省略する。
【０１０２】
このように、本実施例２では、帳票画像読取装置１０を制御する制御装置４０でＯＣＲ処理及びエントリ処理を行うとともに、帳票処理装置側に帳票収納データではなく帳票収納文字データを送信することとしたので、ネットワーク２０上を流れる帳票収納文字データのデータ量を大幅に低減することができる。
【０１０３】
次に、図１６に示した帳票画像読取装置の処理手順について説明する。図１７は、図１６に示した帳票画像読取装置の処理手順を示すフローチャートである。なお、帳票画像読取装置１０の処理Ｓ４０１〜Ｓ４１０は、図１３のステップＳ１０１〜Ｓ１１０に示したものと同様の処理となる。
【０１０４】
同図に示すように、帳票画像読取装置１０は、当初着脱式カセット１０ｆの装着待ちの状態にあり（ステップＳ４０１：Ｎｏ）、着脱式カセット１０ｆが装着されたならば（ステップＳ４０１：Ｙｅｓ）、この着脱式カセット１０ｆのカセットＩＤをリーダライタ１０ｅで読み取り（ステップＳ４０２）、画像読取操作待ちの状態となる（ステップＳ４０３：Ｎｏ）。
【０１０５】
ここで、操作者が、ホッパー部１０ａに複数の帳票を載置し、所定の画像読取操作を行ったならば（ステップＳ４０３：Ｙｅｓ）、ホッパー部１０ａに載置された複数の帳票を繰り出しローラーで順次繰り出し搬送し（ステップＳ４０４）、搬送路１０ｃ上に設けられた画像読取部１０ｄを用いて帳票の画像データを読み取り（ステップＳ４０５）、読み取りを終えた帳票の現物を着脱式カセット１０ｆに収納する（ステップＳ４０６）。
【０１０６】
そして、リーダライタ１０ｅで読み取ったカセットＩＤ、画像読取部１０ｄで読み取った画像データ並びに着脱式カセット１０ｆに帳票が収納された順序を示す順序データを含む帳票収納データを生成し（ステップＳ４０７）、生成した帳票収納データを一時記憶する（ステップＳ４０８）。
【０１０７】
かかる一連の処理をホッパー部１０ａに載置された帳票がなくなるまで繰り返し（ステップＳ４０９：Ｎｏ）、ホッパー部１０ａに載置された全ての帳票の処理を終えたならば（ステップＳ４０９：Ｙｅｓ）、一時記憶した帳票収納データを帳票収納データ送信部１０ｋから制御装置１１に送信する（ステップＳ４１０）。
【０１０８】
一方、制御装置４０は、帳票収納データの受信待ちの状態にあり（ステップＳ４１１：Ｎｏ）、該帳票収納データを受信したならば（ステップＳ４１１：Ｙｅｓ）、この帳票収納データを一時記憶する（ステップＳ４１２）。
【０１０９】
そして、制御装置４０は、ＯＣＲ部４０ｂが帳票収納データに含まれる画像データをＯＣＲ処理して、帳票収納データ内の画像データに含まれる文字データを抽出する（ステップＳ４１３）。また、エントリ部４０ｃにてエントリ処理を行って画像データから正確に文字データを抽出する（ステップＳ４１４）。そして、カセットＩＤ、順序データ及び文字データからなる帳票収納文字データを生成し（ステップＳ４１５）、生成した帳票収納文字データを一時記憶する（ステップＳ４１６）。
【０１１０】
上記一連の処理を未処理の帳票収納データがなくなるまで繰り返し（ステップＳ４１７：Ｙｅｓ）、全ての帳票収納データの処理を終えたならば（ステップＳ４１７：Ｎｏ）、一時記憶した全ての帳票収納文字データを制御装置５０に対して送信する（ステップＳ４１８）。
【０１１１】
次に、図１６に示した制御装置５０による仕分けデータ３４ａの生成手順について説明する。図１８は、図１６に示した制御装置５０による仕分けデータ３４ａの生成手順を示すフローチャートである。同図に示すように、制御装置５０は、当初帳票収納データの受信待ち状態にあり（ステップＳ５０１：Ｎｏ）、帳票収納文字データ受信部５０ａで帳票収納文字データを受信したならば（ステップＳ５０１：Ｙｅｓ）、帳票収納文字データを一時記憶する（ステップＳ５０２）。
【０１１２】
その後、この帳票収納文字データ及び仕分け条件データを用いて、着脱式カセット１０ｆの何番目の帳票をスタッカ部３０ｅのどのスタッカに仕分けるかを決定し（ステップＳ５０３）、カセットＩＤ、順序データ及び仕分け先データからなる仕分けデータ３４ａを生成し（ステップＳ５０４）、生成した仕分けデータを一時記憶する（ステップＳ５０５）。
【０１１３】
上記一連の処理を未処理の帳票収納文字データがなくなるまで繰り返し（ステップＳ５０６：Ｙｓｅ）、全ての帳票収納文字データの処理を終えたならば（ステップＳ５０６：Ｎｏ）、仕分けデータ３４ａの生成が完了する。
【０１１４】
上述してきたように、本実施例２では、帳票画像読取装置１０を制御する制御装置４０でＯＣＲ処理及びエントリ処理を行うとともに、帳票処理装置側に帳票収納データではなく帳票収納文字データを送信するよう構成したので、ネットワーク２０上を流れる帳票収納文字データのデータ量を大幅に低減することができる。
【０１１５】
なお、上記実施例１及び２では、ネットワーク２０経由で帳票収納データ又は帳票収納文字データを転送する場合を示したが、本発明はこれに限定されるものではなく、着脱式カセット１０ｆを利用して帳票収納データ又は帳票収納文字データを受け渡すこともできる。
【０１１６】
図１９は、着脱式カセット１０ｆを利用して帳票収納データを受け渡す場合を説明するための説明図である。同図（ａ）に示すように、ここでは、着脱式カセット１０ｆに帳票を収納する順序及び帳票の画像データを着脱式カセット１０ｆ内部の記憶部に記憶することとしている。このように、これらのデータを着脱式カセット１０ｆ内部に記憶することとすれば、着脱式カセット１０ｆのカセットＩＤを用いなくとも、帳票の仕分けを行うことができる。なお、図１９（ｂ）に示すように、着脱式カセット１０ｆに帳票を収納する順序及び帳票の文字データを着脱式カセット１０ｆ内部の記憶部に記憶することもできる。
【０１１７】
なお、上記実施例１及び２では、着脱式カセット１０ｆ以外に固定カセット１０ｇ及び一時保留部１０ｈを設けることとしたが、これらの固定カセット１０ｇ及び一時保留部１０ｈは、上記着脱式カセット１０ｆと同様の構成となる。また、固定カセット１０ｇの代わりに実施例３に示すように一時保留部を設けることもできる。
【実施例３】
【０１１８】
ところで、上記実施例１及び２では、事務センタに設置した帳票処理装置で帳票を仕分けて管理する場合を示したが、帳票の種類によっては事務センタではなく営業店で帳票を管理するものもある。そこで、本実施例３では、帳票画像読取装置を単体運用して帳票の仕分けを行い、センタに送付する帳票と、営業店で管理する帳票を仕分け、さらに営業店で管理する帳票を種類ごとに仕分け管理する方法を示す。
【０１１９】
すでに説明したように、銀行等の金融機関では、融資、相続、各種契約書、投資信託、諸届け、口座振替依頼書、手形・小切手並びに税・公金等の多種多様の帳票が大量に処理される。これらの各種帳票のうち、口座振替依頼書、手形・小切手並びに税・公金等の帳票は、それぞれの営業所から事務センタに輸送され、この事務センタにおいて帳票が仕分けられ管理される。
【０１２０】
この反面、融資、相続、各種契約書、投資信託、諸届け等の帳票は営業店自身で管理される。このため、事務センタに設置される図４に示した帳票処理装置３０を営業店内に設置することも考えられるが、コスト的およびスペース的に見て効率的ではない。加えて、上記帳票処理装置３０を営業店内に設置したとしても、スタッカに仕分けられた帳票は、その後に人手を介して取り扱われるため、重要な帳票が抜き取られる等のセキュリティ上の問題が生じる。
【０１２１】
このため、本実施例３では、図２に示した帳票画像読み取り装置１０を活用するとともに、管理対象となる帳票については、金庫型の着脱式カセット１０ｆに収納した状態で管理することとしている。これにより、帳票画像読取装置１０が１台あれば、営業店で扱う帳票を事務センタで管理する帳票と、営業店で管理する帳票に仕分けたのち、事務センタへ輸送する帳票の輸送中のセキュリティと、営業店で帳票のセキュリティを保持することができる。
【０１２２】
まず、本実施例３に係る帳票画像読取処理装置の概念について説明する。図２０は、本実施例３に係る帳票画像読取処理装置の概念を説明するための説明図である。
【０１２３】
ホッパー部１０ａに載置された複数の帳票を繰り出しローラーで順次繰り出し、搬送路上に設けられた画像読取部１０ｄを用いて帳票の画像データを読み取るとともに、読み取りを終えた帳票の現物を一時保留部６０ａに収納する。搬送の不良などのため、正しく画像を取り込めなかった帳票はスタッカへ１０ｉ排出する。
【０１２４】
そして、画像読取部１０ｄで読み取った画像データ並びに一時保留部６０ａに帳票が収納された順序を示す順序データを含む帳票収納データが、制御装置６１に送信される。
【０１２５】
制御装置６１は、帳票収納データを受信したならば、ＯＣＲ部６１ｂが帳票収納データに含まれる画像データをＯＣＲ処理するとともに、エントリ部６１ｃにてＯＣＲされた文字データをオペレータが補完するエントリ処理を行う。そして、順序データ及び文字データからなる帳票収納文字データ６４ｂを生成する。その後、この帳票収納文字データ６４ｂ及び仕分け先のスタッカを定めた仕分け条件データ６４ｃを用いて、どの帳票をどこに仕分けるかを示す仕分けデータ６４ｄを生成する。仕分け条件に適合しない帳票は、スタッカへ仕分けるものとする。仕分け条件データ６４ｃには、エンドースの有無／エンドース方法を格納することができ、仕分けデータ６４ｄにその内容が組みこまれる。生成した仕分けデータ６４ｄは、一旦記憶部６４に記憶された後に、帳票画像読取処理装置６０の制御部６０ｄに順次通知される。
【０１２６】
帳票画像読取処理装置６０に着脱式カセット１０ｆが装着されると、リーダライタ１０ｅによって着脱式カセット１０ｆのカセットＩＤが読み取られ、制御部６０ｄにカセットＩＤが通知される。または、帳票画像読取処理装置６０に装着される時点では着脱式カセット１０ｆにカセットＩＤが予め書き込まれておらず、帳票画像読取処理装置６０に装着時、制御装置６１が採番し、リーダライタ１０ｅによって着脱式カセット１０ｆにカセットＩＤを書き込むようにすることもできる。着脱式カセット１０ｆのカセットＩＤが確定した時点で、制御装置６１は、着脱式カセット１０ｆごとに、カセットＩＤと順序データ及び文字データからなる帳票収納文字データを生成する。
【０１２７】
帳票画像読取処理装置６０の制御部６０ｄは、一時保留部６０ａに収納された帳票を順次取り出し、仕分けデータとカセットＩＤを用いて、着脱式カセット１０ｆへ収納すべき帳票かどうかを判定し、収納すべき帳票は着脱式カセット１０ｆへ収納し、スタッカへ排出すべき帳票はスタッカに排出し、それ以外の帳票は一時保留部６０ｂへ収納する。着脱式カセット１０ｆへ収納される帳票に対し、仕分け条件データ６４ｃにエンドースの情報があれば、着脱式カセット１０ｆへ収納される直前にエンドーサ６０ｃによりエンドースを行う。
【０１２８】
一時保留部６０ａに収納されたすべての帳票の処理が終わった後、着脱式カセット１０ｆを別の着脱式カセット１０ｆと交換し、上記と同様の処理を行う。ただし、帳票が収納されている部分が一時保留部６０ｂであり、収納先が一時保留部６０ａとなる点が異なる。帳票画像読取処理装置６０の一時保留部６０ａ及び一時保留部６０ｂ内の帳票がなくなるまで、上記処理を繰り返すことにより、帳票画像読取処理装置６０に取り込んだすべての帳票を仕分けることが可能となる。帳票画像読取処理装置６０より取り外した着脱式カセット１０ｆは、事務センタに運送する帳票を収納した着脱式カセット１０ｆは事務センタへ運送し、営業店で管理する帳票を収納した着脱式カセット１０ｆは営業店で管理を行う。
【０１２９】
次に、図２０に示した帳票画像読取装置の構成についてさらに詳細に説明する。図２１は、図２０に示した帳票画像読取装置の構成を示す図である。同図に示すように、帳票画像読取装置６０は、ホッパー部１０ａと、繰り出しローラー１０ｂと、搬送路１０ｃと、画像読取部１０ｄと、リーダライタ１０ｅと、着脱式カセット１０ｆと、一時保留部６０ａと、一時保留部６０ｂと、エンドーサ６０ｃと、制御部６０ｄとを備える。なお、図２に示した帳票画像読取装置と同様の機能部については同一符号を付すこととして、その詳細な説明は省略する。
【０１３０】
一時保留部６０ａ及び６０ｂは帳票を一時的に収納する収納部である。この一時保留部６０ａ及び６０ｂは、すでに説明した着脱式カセット１０ｆと同様の構成となるが、着脱式ではない点が異なる。一時保留部６０ａはポッパー部１０ａから繰り出された帳票の一時保留用並びに仕分け時の排出対象外帳票の収納先として使用する。一時保留部６０ｂは仕分け時の排出対象外帳票の収納先及び収納済み帳票への途中差し込み処理時の待避先として利用する。
【０１３１】
エンドーサ６０ｃは、帳票の表面又は裏面に管理通番と呼ばれる印字を行う印字部である。このエンドーサ６０ｃによる管理通番の印字は必ずしも必要ではないが、営業店の管理者が営業店内で保管すべき帳票に管理通番を付与して管理する場合に利用される。
【０１３２】
制御部６０ｄは、帳票画像読取装置６０の全体制御を行う制御部であり、帳票の搬送制御、画像読取制御、帳票の収納先カセットの判定処理並びに着脱式カセット１０ｆへの帳票の格納順序の管理等を行う。この制御部６０ｄには、帳票収納データ送信部６０ｅ及び仕分け処理部６０ｆが含まれる。
【０１３３】
帳票収納データ送信部６０ｅは、帳票を収納する着脱式カセット１０ｆのカセットＩＤ、制御部６０ｄから受け取った一時収納部６０ａへの帳票の格納順序を示す順序データ並びに該帳票の画像データからなる帳票収納データを生成して制御装置６１に送信制御する処理部である。
【０１３４】
仕分け処理部６０ｆは、制御装置６１から送信される仕分けデータ及びカセットＩＤを用いて、一時保留部６０ａ及び６０ｂに保留された帳票をどの着脱式カセット１０ｆに収納するかを判別しつつ仕分け処理を行う。具体的には、この仕分け処理部６０ｆは、帳票をスタッカ１０ｉか着脱式カセット１０ｆ又はもう一方の一時保留部のどこに収納するかを判定している。現在の着脱式カセット１０ｆにある種類の帳票だけを収納し、着脱式カセット１０ｆの交換後に別の種類の帳票だけを収納することにより帳票の仕分けをおこなう。
【０１３５】
制御装置６１は、帳票画像読取装置６０を制御する外部制御装置であり、パーソナルコンピュータ等で構成される。この制御装置６１は、液晶パネルやディスプレイ等の表示部６２、キーボードやマウス等の入力部６３、ハードディスクや不揮発性メモリからなる記憶部６４を有する。
【０１３６】
また、この制御装置６１は、帳票の画像データから文字データを抽出するＯＣＲ処理を行うＯＣＲ処理部と、オペレータがＯＣＲされた文字を訂正するエントリ処理を行うエントリ部６１ｂと、帳票収納文字データ６４ｂ及び仕分け条件データ６４ｃを用いて仕分けデータを生成する仕分けデータ生成部６１ｅとを有する。この仕分けデータ生成部６１ｅで生成された仕分けデータは、帳票画像読取装置６０に送信される。なお、公金、税金、振替等の帳票種別は、あらかじめ選択するようにもしても良い。
【０１３７】
次に、事前に帳票が人手で仕分けられている場合を前提に、図２０に示した帳票画像読取処理装置６０による帳票収納文字データの作成と帳票の収納処理の概念について説明する。図２２は、図２０に示した帳票画像読取処理装置６０による帳票収納文字データの作成と帳票の収納処理の概念について説明するための説明図である。
【０１３８】
同図に示すように、帳票画像読取装置６０は、ホッパー部１０ａに載置された複数の帳票を繰り出しローラーで順次繰り出し、搬送路上に設けられた画像読取部１０ｄを用いて帳票の画像データを読み取るとともに、読み取りを終えた帳票の現物を一時保留部６０ａに収納する。ただし、搬送中でエラーが発生した場合には、そのままスタッカ１０ｉに排出する。
【０１３９】
ここで、帳票画像読取処理装置６０が制御装置６１から仕分けデータを受信したならば、この仕分けデータにしたがって、一時保留部６０ａに収納した帳票をスタッカ１０ｉに排出するか又は着脱式カセット１０ｆに収納する。画像読取不良な帳票はスタッカ１０ｉに排出され、正しく帳票収納文字データが作成された帳票は着脱式カセット１０ｆに収納される。
【０１４０】
次に、図２０に示した帳票画像読取装置６０の処理手順について説明する。図２３は、図２０に示した帳票画像読取装置６０の処理手順を示すフローチャートである。同図に示すように、帳票画像読取装置６０は、当初着脱式カセット１０ｆの装着待ちの状態にあり（ステップＳ６０１：Ｎｏ）、着脱式カセット１０ｆが装着されたならば（ステップＳ６０１：Ｙｅｓ）、この着脱式カセット１０ｆのカセットＩＤをリーダライタ１０ｅで読み取り（ステップＳ６０２）、画像読取操作待ちの状態となる（ステップＳ６０３：Ｎｏ）。
【０１４１】
ここで、操作者が、ホッパー部１０ａに複数の帳票を載置し、所定の画像読取操作を行ったならば（ステップＳ６０３：Ｙｅｓ）、ホッパー部１０ａに載置された複数の帳票を繰り出しローラーで順次繰り出し搬送し（ステップＳ６０４）、搬送路１０ｃ上に設けられた画像読取部１０ｄを用いて帳票の画像データを読み取り（ステップＳ６０５）、読み取りを終えた帳票の現物を一時保留部６０ａに収納する（ステップＳ６０６）。
【０１４２】
そして、リーダライタ１０ｅで読み取ったカセットＩＤ、画像読取部１０ｄで読み取った画像データ並びに一時保留部６０ａに帳票が収納された順序を示す順序データを含む帳票収納データを生成し（ステップＳ６０７）、生成した帳票収納データを制御装置６１に送信する（ステップＳ６０８）。
【０１４３】
かかる一連の処理をホッパー部１０ａに載置された帳票がなくなるまで繰り返し（ステップＳ６０９：Ｎｏ）、ホッパー部１０ａに載置された全ての帳票の処理を終えたならば（ステップＳ６０９：Ｙｅｓ）、仕分けデータの受信待ちの状態となる（ステップＳ６１８：Ｎｏ）。
【０１４４】
一方、制御装置６１は、帳票収納データの受信待ちの状態にあり（ステップＳ６１０：Ｎｏ）、該帳票収納データを受信したならば（ステップＳ６１０：Ｙｅｓ）、この帳票収納データを一時記憶する（ステップＳ６１１）。
【０１４５】
一方で、制御部６１は、一時記憶された帳票収納データを順次取り出して、ＯＣＲ処理（ステップＳ６１２）及びエントリ処理（ステップＳ６１３）を行って、帳票収納データ内の画像データに含まれる文字データを抽出し、カセットＩＤ、順序データ及び文字データからなる帳票収納文字データを生成する（ステップＳ６１４）。
【０１４６】
その後、この帳票収納文字データ及び仕分け条件データを用いて、どの帳票をどこに仕分けるかを示す仕分けデータを生成し（ステップＳ６１５）、生成した仕分けデータを帳票画像読取装置６０に送信する（ステップＳ６１６）。上記一連の処理を未処理の帳票収納データがなくなるまで繰り返し（ステップＳ６１７：Ｙｅｓ）、全ての帳票収納データの処理を終えたならば（ステップＳ６１７：Ｎｏ）、処理を終了する。
【０１４７】
一方、帳票画像読取装置６０が、この仕分けデータを受信したならば（ステップＳ６１８：Ｙｅｓ）、仕分けデータに基づいて仕分け先を決定し（ステップＳ６１９）、営業店保管の対象となる帳票にエンドース処理を行って（ステップＳ６２０）、仕分け処理を行う（ステップＳ６２１）。
【０１４８】
ところで、上記一連の説明では、事前に帳票が人手で仕分けられた場合を前提に説明したが、事前の仕分けなしに複数の種類の帳票をホッパー部１０ａに載置され、これを仕分け収納する場合もある。かかる場合の処理概念について説明する。図２４（ａ）は、事前の仕分けなしに複数の種類の帳票をホッパー部１０ａに載置され、これを仕分け収納する場合の処理概念を説明するための説明図である。
【０１４９】
ホッパー部１０ａに載置された帳票は、画像読取部１０ｄによって画像データが読み取られた後に、一時保留部６０ａに収納される。例えば、帳票Ａ、帳票Ｂ、帳票Ｃ、帳票Ｄ、帳票Ｅの順に５つの帳票が一時保留部６０ａに収納されていたとする。
【０１５０】
ここで、帳票Ａ、帳票Ｃ及び帳票Ｅと帳票Ｂ及び帳票Ｄをそれぞれの着脱式カセット１０ｆに収納するものとする。まず、一時保留部６０ａに収納された帳票Ｅを着脱式カセット１０ｆに収納する。次に、帳票Ｄを一時保留部６０ｂに収納した後、帳票Ｃを着脱式カセット１０ｆに収納する。さらに、帳票Bを一時保留部６０ｂに収納した後、帳票Ａを着脱式カセット１０ｆに収納する。そして、着脱式カセット１０ｆを交換した後に帳票Ｂ、帳票Ｄの順に一時保留部６０ｂから取り出し着脱式カセット１０ｆに収納する。３種類以上に仕分ける場合は、取り出したい種類の帳票を、一時保留部６０ａから一時保留部６０ｂ、一時保留部６０ｂから一時保留部６０ａと交互に移し換えながら、順次、所望の種類の帳票を着脱式カセット１０ｆに収納する。
【０１５１】
このように、２つの一時保留部６０ａ及び６０ｂを用いることにより、様々な帳票が混在する場合であっても、所望の種類の帳票のみを着脱式カセット１０ｆに収納することができる。
【０１５２】
次に、着脱式カセット１０ｆに収納された複数の帳票から所望の帳票を取り出す場合の概念について説明する。図２４（ｂ）は、着脱式カセット１０ｆに収納された複数の帳票から所望の帳票を取り出す場合の概念を説明するための説明図である。同図に示すように、該当する帳票が保管された着脱式カセット１０ｆが帳票画像読取装置６０に装着されたならば、リーダライタ１０ｅによりカセットＩＤが読み取られ、帳票収納文字データ６４ｂを用いて該当する帳票が収納された順序データが特定される。
【０１５３】
その後、特定された帳票より前の帳票については、一時保留部６０ａに一時的に収納され、該当する帳票がスタッカ１０ｉに排出される。その後、一時保留部６０ａに収納された帳票が着脱式カセット１０ｆに収納される。なお、一時保留部６０ａの代わりに一時保留部６０ｂを用いることもできる。上記一連の処理を行うことにより、帳票の保管庫の役割を有する着脱式カセット１０ｆから所望の帳票のみを取り出すことができる。
【０１５４】
次に、着脱式カセット１０ｆに収納された複数の帳票の途中に新たな帳票を割り込ませて収納する場合の概念について説明する。図２４（ｃ）は、着脱式カセット１０ｆに収納された複数の帳票の途中に新たな帳票を割り込ませて収納する場合の概念を説明するための説明図である。
【０１５５】
同図に示すように、着脱式カセット１０ｆが帳票画像読取装置６０に装着されたならば、リーダライタ１０ｅによりカセットＩＤが読み取られ、帳票収納文字データ６４ｂを用いて着脱式カセット１０ｆに収納された帳票の順序データが特定される。
【０１５６】
ここで、割り込み対象となる帳票がホッパー部１０ａに載置され、所定の操作が行われると、このホッパー部１０ａの帳票の画像データが画像読取部１０ｄにより読み取られ、一時保留部６０ａに収納される。その後、この帳票を割り込ませる前までの着脱式カセット１０ｆ内の帳票を一時保留部６０ｂに収納させ、一時保留部６０ａに収納された割り込み対象となる帳票を一時保留部６０ｂに収納させる。その後、一時保留部６０ｂに収納した全ての帳票を着脱式カセット１０ｆに収納させる。
【０１５７】
上記一連の処理を行うことにより、着脱式カセット１０ｆに収納された複数の帳票の途中に新たな帳票を割り込ませて収納することが可能となる。
【０１５８】
上述してきたように、本実施例３に係る帳票画像読取装置を用いることにより、営業店内で保管すべき融資、相続、各種契約書、投資信託、諸届け等の帳票を着脱式カセット１０ｆに収納した状態で保管することができる。これにより、帳票画像読取装置１０が１台あれば、営業店で帳票を管理できるとともに、セキュリティを保持することができる。
【０１５９】
なお、ここでは説明の便宜上、営業所で保管すべき帳票を着脱式カセット１０ｆに収納する場合を示したが、本発明はこれに限定されるものではなく、事務センタで管理されるべき帳票を着脱式カセット１０ｆに収納する場合にも同様に適用できる。この場合には、実施例１に示した帳票処理装置３０及び制御装置３１を事務センタに設置するとともに、上記帳票画像読取装置６０から帳票収納データを制御装置３１に送信するよう構成すれば良い。また、実施例２に示したように、帳票収納文字データを送信するよう構成することもできる。
【産業上の利用可能性】
【０１６０】
以上のように、本願の開示する帳票処理システム及び帳票画像読取装置は、あらゆる種別の帳票を正確かつ効率良く仕分ける場合やセキュリティを確保しつつ帳票の管理を効率良く行う場合に適している。
【符号の説明】
【０１６１】
１０  帳票画像読取装置
１０ａ  ホッパー部
１０ｂ  繰り出しローラー
１０ｃ  搬送路
１０ｄ  画像読取部
１０ｅ  リーダライタ
１０ｆ  着脱式カセット
１０ｇ  固定カセット
１０ｈ  一時保留部
１０ｉ  スタッカ
１１  制御装置
１１ａ  帳票収納データ処理部
１２  表示部
１３  入力部
２０  ネットワーク
３０  帳票処理装置
３０ａ  リーダライタ
３０ｂ  繰り出しローラー
３０ｃ  搬送路
３０ｄ  排出ローラー
３０ｅ  スタッカ部
３０ｆ  制御部
３０ｇ  仕分け処理部
３１  制御装置
３１ａ  帳票収納データ受信部
３１ｂ  ＯＣＲ部
３１ｃ  エントリ部
３１ｄ  仕分けデータ生成部
３４  記憶部
３４ａ  仕分けデータ
３４ｂ  仕分け条件データ
４０  制御装置
４０ａ  帳票収納データ受信部
４０ｂ  ＯＣＲ部
４０ｃ  エントリ部
４０ｄ  帳票収納文字データ送信部
４０ｅ  記憶部
５０  制御装置
５０ａ  帳票収納文字データ受信部
６０  帳票画像読取装置
６０ａ，６０ｂ  一時保留部
６０ｃ  エンドーサ
６０ｄ  制御部
６０ｅ  帳票収納データ送信部
６０ｆ  仕分け処理部
６１  制御装置
６１ａ  ＯＣＲ部
６１ｂ  エントリ部
６１ｃ  仕分けデータ生成部
６２  表示部
６３  入力部
６４  記憶部
６４ａ  帳票収納データ
６４ｂ  帳票収納文字データ
６４ｃ  仕分け条件データ
【図１】
2012083807.tif 000003
【図２】
2012083807.tif 000004
【図３】
2012083807.tif 000005
【図４】
2012083807.tif 000006
【図５】
2012083807.tif 000007
【図６】
2012083807.tif 000008
【図７】
2012083807.tif 000009
【図８】
2012083807.tif 000010
【図９】
2012083807.tif 000011
【図１０】
2012083807.tif 000012
【図１１】
2012083807.tif 000013
【図１２】
2012083807.tif 000014
【図１３】
2012083807.tif 000015
【図１４】
2012083807.tif 000016
【図１５】
2012083807.tif 000017
【図１６】
2012083807.tif 000018
【図１７】
2012083807.tif 000019
【図１８】
2012083807.tif 000020
【図１９】
2012083807.tif 000021
【図２０】
2012083807.tif 000022
【図２１】
2012083807.tif 000023
【図２２】
2012083807.tif 000024
【図２３】
2012083807.tif 000025
【図２４】
2012083807.tif 000026